【事件の表示】
　平成　７年特許願第１５４０２６号「電子計算器」拒絶査定不服審判事件〔平成　８年１０月　１日出願公開、特開平　８−２５５１３８〕について、次のとおり審決する。
【結　論】
　本件審判の請求は、成り立たない。
【理　由】
１．手続の経緯・本願発明
　本願は、平成７年５月２９日（優先権主張平成７年１月５日、平成７年１月２０日）の出願であって、平成１６年１月１６日付けで拒絶査定がなされ、これに対し、同年２月２３日に審判請求がなされたものであり、その請求項２に係る発明は、特許請求の範囲の請求項２に記載されたとおりの次のものと認める。（以下、「本願発明」という。）
　
　「数値及び計算実行命令等の入力ための入力操作キーと、前記入力操作キーに対するキー押し操作に応答して加減乗除及び平方根等の計算を処理する計算処理手段と、前記入力操作キーによる入力及び前記計算の処理結果を数値等として表示可能な表示画面と、前記入力操作キーの操作及び前記計算処理に応答して前記表示画面上に数値等を表示する表示制御手段とを少なくとも有する電子計算器であって、
　前記表示画面に表示された数値を記憶させるべくキー押し操作を行うための記憶キーと、
　前記表示画面に表示された数値を記憶可能な記憶部を含み、前記記憶キーのキー押し操作に応答して、前記表示画面に表示された数値を該記憶部に記憶させる記憶手段と、
　前記表示画面に表示された数値と前記記憶部内に記憶されている数値とが一致するか否かを判断するべくキー押し操作を行うための積算合計キー及び等号キーと、
　前記積算合計キー及び等号キーのキー押し操作に応答して、前記表示画面に表示された数値と前記記憶部内に記憶されている数値とが一致するか否かを判断する比較手段と、
　前記比較の結果を認知させる標識と、
　前記記憶キーのキー押し操作に連動して、前記表示画面の表示状態を初期化して初期表示とする初期表示手段とを有することを特徴とする
　電子計算器。」
　
　ただし、上記のうち、「入力ための」は「入力のための」の誤記と認められる。
　
２．引用発明
　これに対して、原査定の拒絶の理由に引用された、本願の優先権主張の日前である昭和５３年７月１日に頒布された刊行物である特公昭５３−２１２５９号公報（以下「引用文献」という。）には、次の事項が記載されている。
　なお、以降において、””で挟まれたフアンクシヨンキーを表す記号列は、実際は、四角（□）で囲まれた記号列であり、［］で挟まれたカタカナは、実際は、丸囲みされたカタカナであり、＿（アンダーライン）が付された記号列は、実際は、アッパーラインが付された記号列である。
　
（ア）「テンキー及びフアンクシヨンキーを有するキー入力装置と演算用レジスタを有し該レジスタの内容が表示されるように制御される演算処理装置とマイクロオーダを発生するプログラム装置と数字表示装置とを備えた電子卓上計算機において、第１の演算結果を記憶するための照合用レジスタ（メモリ）と、実質的に制御信号を発生しない第１のスイツチ状態（Ｖｎ）および制御信号を発生する第２のスイッチ状態（Ｖｉｎ）並びに第３のスイツチ状態（Ｖｏｕｔ）にそれぞれ切り換えることができる照合用スイツチと、上記第２のスイツチ状態（Ｖｉｎ）で上記演算用レジスタの内容を上記照合用レジスタに転移させる信号を発生すると共に上記第３のスイツチ状態（Ｖｏｕｔ）で上記照合用レジスタの内容を上記演算用レジスタに転移させる信号を発生する制御回路と、上記演算用レジスタの内容（第２の演算結果）と上記照合用レジスタの内容（第１の演算結果）の一致・不一致を検出する照合回路と、上記照合回路の出力に基づいて照合結果を知らせる報知装置とを有するキー制御式の照合機能装置を備えた電子卓上計算機。」
（特許請求の範囲）
　
（イ）「本発明は同一演算を２度繰返えした場合両演算結果の一致、不一致を検出する機能を備えた電子式卓上計算機を提供しようとするものであつて、特に照合用キースイツチとスイツチ操作に対応する照合レジスタの情報制御に特徴を有するものである。」
（第１頁右欄第９−１４行）
　
（ウ）「第１図は本発明のブロック図である。
　この発明の中心となるのは、３つのレジスタＸ，Ｙ，ＶＭで、これらは適当なゲート手段で接続され、プログラム装置ＰＧから発生するマイクロオーダなる信号によって制御されている。」
（第１頁右欄第１６−２０行）
　
（エ）「数値キーＴＫ、フアンクシヨンキーＦＫを備えたキーボードＫＢからの信号はそれぞれレジスタＸ、プログラム装置ＰＧに導入される。」
（第１頁右欄第２４−２６行）
　
（オ）「今、Ａ”×”Ｂ”＝”Ｃなる演算を行う場合には、まず数値ＡかレジスタＸに記憶され、乗算指示はフアンクションキー”×”の押圧でプログラム装置ＰＧに記憶される。続いて数値Ｂを数値キーにて導入すると数値ＡはゲートＧ４を介してレジスタＹに導入され、レジスタＸに数値Ｂが記憶される。この状態で演算開始キー”＝”を押圧するとプログラム装置は演算状態
ＮＯ
（第１頁右欄第３０行−第２頁左欄第４行）
　
（カ）「上記プログラム装置ＰＧにはフアンクシヨキー各種に対するプログラムが設定され、キーの押圧に従つて指定された動作を行う。」
（第２頁左欄第１４−１６行）
　
（キ）以下第２図の各レジスタの状態移行図を参照しながら説明する。尚第１回目の演算はＡ”×”Ｂ”＝”Ｃ，第２回目の演算はＡ０”×”Ｂ０”＝”Ｃ０とする。第１回目の演算終了時［ニ］は記述した通りである。ここで、特定スイツチＳＳを押圧する。このスイツチＳＳは照合準備端子Ｖｉｎと中立端子Ｎと呼び出し端子Ｖｏｕｔを有し、スイツチ片ＳＷをいずれの端子に接触させても端子Ｎに復帰するようになつている。このスイツチ片ＳＷを端子Ｖｉｎに接触させることによつてＰなる１語長信号を発生させ、レジスタ”Ｘ”の内容ＣをゲートＧ７を介して照合メモリＶＭに導入する。第２回目の演算もＡ０”×”Ｂ０までは全く同様である。”＝”キーを指示すると［リ］の状態に移り演算は終了する。この終了状態ＮＯに於て、レジスタＸと照合用メモリーＶＭの内容を比較一致、不一致を検出する。この実施例では不一致検出回路ＧＡで不一致の検出を、ゲートＧ８で検出時間を制御している。」
（第２頁左欄第２６−４３行）
　
（ク）「上記した演算終了状態で前の演算結果と比較するには、次のような構成が考えられる。即ち、演算状態
ＮＯ
ＮＯ
（第２頁左欄第４４行−右欄第１４行）
　
（ケ）「又、第４図に示す如く”＝”キーの押圧にてセットされるフリツプフロツプＢを設けこのセツト出力と非演算状態を示す
Ｐ
（第２頁右欄第１５−３１行）
　
（コ）この時メモリーＶＭの内容（即ち’Ｃ’）を確認したい時は上記特定スイツチＳＳの接片ＳＷを呼び出し端子Ｖｏｕｔに触させる。…（中略）…この時、メモリＶＭの内容は消去されずに残つている。レジスタＸは表示用レジスタを兼ねているから、メモリーＶＭの内容（即ち’Ｃ’）は視覚的に確認できる。」
（第２頁右欄第４２行−第３頁左欄第８行）
　
（サ）第２図の記載からは、ホの段階で、キー操作ＳＳＶｉｎすなわち接片ＳＷを照合準備端子Ｖｉｎに接触させるようにスイツチＳＳを操作すると、ニの段階の演算結果であるレジスタＸの内容’Ｃ’を照合用レジスタＶＭに移すのと連動して、レジスタＸとレジスタＹの内容を０に初期化していることが見て取れる。
　
　上記（ア）において、「数値表示装置」の具体的な構成は示されていないが、表示画面とその表示を制御する表示制御手段とから構成されていることは計算機の分野における技術常識である。
　上記（オ）の如く、引用文献には、加算機ＦＡにより乗算を行う例しか記載されていないが、電子卓上計算機（いわゆる電卓）が加減乗除の機能を有していることは技術常識であるから、引用文献１に記載の電子卓上計算機が加減乗除の機能を有していることは、明記されていなくとも自明である。
　上記（キ）及び（コ）からして、特定スイツチＳＳの接片ＳＷを照合準備端子Ｖｉｎに接触させる操作は、表示用レジスタを兼ねているレジスタ”Ｘ”を照合用メモリＶＭに記憶するものであるから、実質的に当該操作は、表示された数値を記憶させるものである。
　また、上記（サ）からして、レジスタＸの内容を０にすることは、表示状態を初期化して初期表示とすることに等しく、かつ、引用文献１に記載の電子卓上計算機は、そのための初期表示手段を有していることは自明である。
　よって、上記（ア）乃至（サ）及び技術常識からして、引用文献（特に、第４図に対応した実施例）には次の発明（以下「引用発明」という。）が記載されている。
　
　数値キーＴＫ及びフアンクションキーＦＫを備えたキーボードＫＢと、前記キーボードＫＢに対するキー押し操作に応答して加減乗除を処理するプログラム装置ＰＧと、前記キーボードＫＢによる入力及び前記計算の処理結果を数値等として表示可能な表示画面と、前記キーボードＫＢの操作及び前記計算処理に応答して前記表示画面上に数値等を表示する表示制御手段を少なくとも有する電子卓上計算機であって、
　前記表示画面に表示された数値を記憶させるべく接片を照合準備端子Ｖｉｎに接触させるための操作を行うための特定スイツチＳＳと、
　前記表示画面に表示された数値を記憶可能な照合用メモリＶＭを含み、前記特定スイツチＳＳの操作に応答して、Ｐなる一語長信号を発生し、当該信号Ｐにより、前記表示画面に表示された数値をゲートＧ７を介して該照合用メモリＶＭに記憶させるプログラム装置ＰＧと、
　前記表示画面に表示された数値と前記照合用メモリ内に記憶されている数値とが一致するか否かを判断するべくキー押し操作を行うための”ＭＲ”キー及び”＝”キーと、
　前記”ＭＲ”キー及び”＝”キーのキー押し操作に応答して、前記表示画面に表示された数値と前記照合用メモリ内に記憶されている数値とが一致するか否かを判断する不一致検出回路ＧＡの出力をフリツプフロツプＦ１に出力するゲートＧ８と、
　前記比較の結果を認知させる警報ランプＬと、
　前記特定スイツチＳＳの操作に連動して、前記表示画面の表示状態を初期化して初期表示とする初期表示手段とを有することを特徴とする
　電子卓上計算機。
　
３．本願発明と引用発明との対比
　本願発明と引用発明とを対比すると、引用発明の「数値キーＴＫ及びフアンクションキーＦＫを備えたキーボードＫＢ」、「電子卓上計算機」、「照合用メモリＶＭ」、「”ＭＲ”キー」、「”＝”キー」及び「警報ランプＬ」は、それぞれ本願発明の「数値及び計算実行命令等の入力のための入力操作キー」、「電子計算器」、「記憶部」、「積算合計キー」、「等号キー」及び「標識」に対応している。
　引用発明の「プログラム装置ＰＧ」は、少なくとも加減乗除の計算を処理する計算手段である点で、本願発明の「計算処理手段」と共通している。
　引用発明の「特定スイツチＳＳ」は、照合用メモリＶＭ（記憶部）に表示された数値を記憶するために操作される操作手段である点で、本願発明の「記憶キー」と共通している。
　引用発明では、プログラム装置ＰＧとゲートＧ７とは、前記操作手段の操作に応答して、表示画面に表示された数値を照合用メモリＶＭに記憶させる機能を実現しているから、この点において、本願発明の「記憶手段」と共通している。
　引用発明の「不一致検出回路ＧＡ」は、表示画面に表示された数値と記憶部内に記憶されている数値とが一致するか否かを判断する機能を有している点で、本願発明の「比較手段」と共通している。
　
　よって、両者は、
　
　「数値及び計算実行命令等の入力ための入力操作キーと、前記入力操作キーに対するキー押し操作に応答して少なくとも加減乗除の計算を処理する計算手段と、前記入力操作キーによる入力及び前記計算の処理結果を数値等として表示可能な表示画面と、前記入力操作キーの操作及び前記計算処理に応答して前記表示画面上に数値等を表示する表示制御手段とを少なくとも有する電子計算器であって、
　前記表示画面に表示された数値を記憶させるべく操作を行うための操作手段と、
　前記表示画面に表示された数値を記憶可能な記憶部を含み、前記操作手段の操作に応答して、前記表示画面に表示された数値を該記憶部に記憶させる記憶手段と、
　前記表示画面に表示された数値と前記記憶部内に記憶されている数値とが一致するか否かを判断するべくキー押し操作を行うための積算合計キー及び等号キーと、
　前記表示画面に表示された数値と前記記憶部内に記憶されている数値とが一致するか否かを判断する比較手段と、
　前記比較の結果を認知させる標識と、
　前記操作手段の操作に連動して、前記表示画面の表示状態を初期化して初期表示とする初期表示手段とを有することを特徴とする
　電子計算器。
　
　の点で一致し、以下の点で相違している。
　
［相違点１］
　「操作手段」が、本願発明は、キー押し操作により操作される「記憶キー」であるのに対し、引用発明は、接片ＳＷを照合準備端子Ｖｉｎに接触させる操作により操作される「特定スイツチＳＳ」である点。
　
［相違点２］
　本願発明は、積算合計キー及び等号キーのキー押し操作に応答して比較手段が比較判断を行うのに対し、引用発明は、積算合計キー及び等号キーのキー押し操作に応答して比較手段による比較結果が出力される点。
　
［相違点３］
　本願発明は、加減乗除の他に「平方根等」の計算をも処理するのに対し、引用発明は、該「平方根等」について記載がない点。
　
４．当審の判断
　上記相違点について、以下検討する。
　
［相違点１について］
　引用文献の第１図に記載されているように、特定スイツチＳＳはキーボード上に存在するから、特定スイツチＳＳの接片ＳＷを照合準備端子Ｖｉｎに接触させる操作に対応する機能を、他のフアンクシヨンキーと同様に一つのキー、すなわち記憶キーとして構成し、当該記憶キーの押し操作により記憶部への記憶と表示状態の初期化を制御するようにすることは、当業者が容易に想到し得たものである。
　
［相違点２について］
　上記２．（ク）で挙げたように、引用文献には、「例えば演算、非演算状態をＮＯＦというアドレスフリツプフロツプで記憶しているとすれば第３図タイムチャートの如くＮＯＦがリセット状態（非演算状態）なつた時だけゲートＧＢが出力してフリツプフロツプＦ２の出力によつて上述した照合動作をするようにプログラム装置ＰＧ構成する。」（第２頁右欄第７−１３行）と記載されているように、特定の状態になったことに応じて比較判断をするように制御することが開示されているから、引用発明（引用文献１の第４図の構成）においても、積算合計キー及び等号キーのキー押し操作による信号により比較手段が比較判断を行うように構成することは、当業者が容易に想到し得たものである。
　
［相違点３について］
　加減乗除のみならず平方根等を計算する機能を有した多機能の電子計算器は、本願の優先日においては周知であったから、引用発明において、平方根等を計算する機能を付加することに格別な困難性はない。
　
　そして、本願発明の作用効果も、引用発明及び周知技術から当業者が容易に予測できる範囲内のものである。
　
　なお、請求人は、請求の理由において、引用文献（周知慣用技術２）に記載のものは、答えの表示の後、さらに特定ＳＳＶｏｕｔキーにより合否判定表示をするものと認定しているが、上記２．（コ）で挙げたように、引用文献に記載の電子卓上計算機においては、特定スイツチＳＳの接片ＳＷを呼び出し端子Ｖｏｕｔに接触させる操作（請求人がいうところの「特定ＳＳＶｏｕｔキー」）は、表示レジスタの内容を表示確認するためのものであって、合否判定表示を行うためのものではないから、請求人の前記認定は誤りである。
　また、請求人は、本願発明は、記憶キー以外にＡＣキーを有していない点で周知慣用技術２と異なる旨主張しているが、本願の請求項２の記載においては、「入力操作キー」として有しているキーがすべて特定されているわけではないから、本願発明は、「記憶キー」以外にＡＣキーを有していないとは限定していないから、請求人の当該主張は、請求項２の記載に基づいたものではない。また、請求項２の記載においては、「記憶キー」による「初期化」は、「表示画面の表示状態を初期化」にとどまるため、引用発明における特定スイツチＳＳによるレジスタＸの初期化と差異はない。
　更に言うならば、引用文献では、上記２．（サ）で挙げたように、特定スイッチＳＳの操作により、表示用レジスタを兼ねたレジスタＸのみならず被演算子を格納するレジスタＹをも初期化しており、クリアキー（ＣＬキー）を用いなくても、特定スイツチＳＳを操作することにより次の演算を初期状態から開始すること可能であるので、特定スイツチＳＳは実質的にＡＣキーを兼ねたものであり、クリアキーは計算に必須の構成とはいえない。つまり、仮に、請求項２における「記憶キー」がＡＣキーを兼ねたものであったと仮定しても、それだけでは引用文献に記載されたものと差異はない。
　よって、請求人の上記主張は採用できない。
　
５．むすび
　したがって、本願発明は、引用発明及び周知技術に基いて当業者が容易に発明をすることができたものであるので、特許法第２９条第２項の規定により特許を受けることができない。
　よって、結論のとおり審決する。